(57)【要約】【課題】  光触媒パネルを室内の必要な場所に適宜選択して設置および設置替えすることができるとともに、光触媒パネルの表面における殺菌・消臭・抗菌等の光触媒反応を効率よく発揮させることができ、しかも光触媒パネルに必要な電力を供給する電気線を遮蔽できる光触媒表面を有するパネル装置を提供すること。【解決手段】  室内の壁面２５と離間し、かつ天井２４側から床面３１側に向かう適宜位置まで延在した化粧パネル２を設置し、この化粧パネル２の表面に光触媒を含有した化粧材を設けるとともに、化粧パネル２の下端縁に沿って、化粧材の表面を照らす照明ユニット３を設け、化粧パネル２と壁面２５とで形成される空間部に、天井２４側から照明ユニット３へと到る電気線２０を配線する。【選択図】  図１
2006158501.tif 000002
【特許請求の範囲】
【請求項１】
室内の壁面と離間し、かつ天井側から床面側に向かう適宜位置まで延在した化粧パネルを設置し、該化粧パネルの表面に光触媒を含有した化粧材を設けるとともに、前記化粧パネルの下端縁に沿って、該化粧材の表面を照らす照明ユニットを設け、前記化粧パネルと前記壁面とで形成される空間部に、前記天井側から前記照明ユニットへと到る電気線を配線させたことを特徴とする光触媒表面を有するパネル装置。
【請求項２】
前記照明ユニットに隣接させて医療ガスの取出口を設け、前記空間部に前記天井側から前記医療ガスの取出口へと到るガス管を配管させた請求項１に記載の光触媒表面を有するパネル装置。
【請求項３】
前記化粧パネルは、少なくとも前記照明ユニットと一体的に構成されている請求項１または２に記載の光触媒表面を有するパネル装置。
【請求項４】
前記照明ユニットに配電部を付設した請求項１乃至３のいずれかに記載の光触媒表面を有するパネル装置。
【請求項５】
前記照明ユニットには下方を照らす照明具を備える請求項１乃至４のいずれかに記載の光触媒表面を有するパネル装置。
【発明の詳細な説明】
【技術分野】
【０００１】
本発明は、室内の壁面の前面側に光触媒表面を有するパネルを設けたパネル装置に関する。
【背景技術】
【０００２】
近年、病室等の室内を清潔に保つためには、光触媒としての二酸化チタンを担持させたタイルを室内の全ての壁面に設けて光触媒パネルを形成し、天井に取り付けられた蛍光灯や、日中の太陽光を光源として壁面に光を照射させることで、これらの光と、二酸化チタン（ＴｉＯ２）と、空気中の水分（Ｈ２Ｏ）との化学反応で生じる光触媒反応を利用して、壁面の殺菌・消臭・抗菌等がなされ、空気清浄機や室内の換気手段である換気扇等の特別な機器を用いることなく、壁面が清潔に保たれている（例えば、特許文献１参照）。
【０００３】
【特許文献１】特開平６−２０９９８５号公報（段落０００６〜段落０００９、図１）
【発明の開示】
【発明が解決しようとする課題】
【０００４】
しかしながら、特許文献１にあっては、天井の照明では光触媒パネルの下方に照射される光源が弱くなってしまい、夜間には太陽光が室内に差し込まれることはないので、室内の壁面箇所によっては光触媒反応の効率性を低下させていた。また、光触媒パネルの特定の場所を光触媒反応によって、集中的に殺菌・消臭・抗菌等を行わせたい場合には、新たに光源を備えた機器を用意して、その特定された光触媒パネルを照射させる必要が有り、手間と時間とコストを生じさせる恐れがあった。
【０００５】
本発明は、このような問題点に着目してなされたもので、光触媒パネルを室内の必要な場所に適宜選択して設置および設置替えすることができるとともに、光触媒パネルの表面における殺菌・消臭・抗菌等の光触媒反応を効率よく発揮させることができ、しかも光触媒パネルに必要な電力を供給する電気線を遮蔽できる光触媒表面を有するパネル装置を提供することを目的とする。
【課題を解決するための手段】
【０００６】
上記課題を解決するために、本発明の請求項１に記載の光触媒表面を有するパネル装置は、室内の壁面と離間し、かつ天井側から床面側に向かう適宜位置まで延在した化粧パネルを設置し、該化粧パネルの表面に光触媒を含有した化粧材を設けるとともに、前記化粧パネルの下端縁に沿って、該化粧材の表面を照らす照明ユニットを設け、前記化粧パネルと前記壁面とで形成される空間部に、前記天井側から前記照明ユニットへと到る電気線を配線させたことを特徴としている。
この特徴によれば、化粧パネルを室内の必要な場所に適宜選択して設置および設置替えさせることができ、また照明ユニットの光源で化粧パネルの表面を集中的に照らすことで、化粧材に含有した光触媒の殺菌・消臭・抗菌等の効果を効率よく発揮させることができるので、常に化粧パネルの表面および近傍の空気層を清潔に保てる。さらに、化粧パネルと室内の壁面と間に形成された空間部を利用して、照明ユニットに接続された電気線を簡便に配線させることができ、化粧パネルによって電気線が外部に露出されることなく遮蔽されて見栄えも良い。
【０００７】
本発明の請求項２に記載の光触媒表面を有するパネル装置は、請求項１に記載の光触媒表面を有するパネル装置であって、前記照明ユニットに隣接させて医療ガスの取出口を設け、前記空間部に前記天井側から前記医療ガスの取出口へと到るガス管を配管させたことを特徴としている。
この特徴によれば、病室等の医療現場で用いられる医療ガスの取出口を照明ユニットに隣接させて設けることで、医療ガスの取出口に接続されたガス管も電気線と同様に化粧パネルと壁面とで形成される空間部に簡便に配設させることができ、化粧パネルによってガス管が外部に露出されることなく遮蔽されて見栄えも良い。
【０００８】
本発明の請求項３に記載の光触媒表面を有するパネル装置は、請求項１または２に記載の光触媒表面を有するパネル装置であって、前記化粧パネルは、少なくとも前記照明ユニットと一体的に構成されていることを特徴としている。
この特徴によれば、照明ユニットを壁面に設けるだけで、化粧パネルを特別な支持具を用いることなく、容易に壁面側に支持させることができる。
【０００９】
本発明の請求項４に記載の光触媒表面を有するパネル装置は、請求項１乃至３のいずれかに記載の光触媒表面を有するパネル装置であって、前記照明ユニットに配電部を付設したことを特徴としている。
この特徴によれば、配電部を介して外部の機器類にも容易に電気供給が行える。
【００１０】
本発明の請求項５に記載の光触媒表面を有するパネル装置は、請求項１乃至４のいずれかに記載の光触媒表面を有するパネル装置であって、前記照明ユニットには下方を照らす照明具を備えることを特徴としている。
この特徴によれば、照明ユニットによって暗くなりがちな下方側を照明具の照明によって明るくすることが可能となる。
【発明を実施するための最良の形態】
【００１１】
本発明の実施例を以下に説明する。
【実施例】
【００１２】
図１は、本発明の実施例における光触媒表面を有するパネル装置の全体像を示す斜視図であり、図２は、図１のＡ−Ａ線を示す化粧パネルおよび照明ユニット中央部の側断面図であり、図３は、図１のＢ−Ｂ線を示す照明ユニット全体の平面断面図であり、図４は、照明ユニットに設けられた医療ガス部を示す斜視図であり、図５は、医療ガス部の使用例を示す正面図である。このパネル装置１は、病室等における室内の雑菌・汚臭を光触媒反応の利用によって、室内を清潔に保つために利用されている。
【００１３】
図１に示されるように、パネル装置１は上部位置に幅広の化粧パネル２、下部位置に左右の長さ方向に延びる矩形ボックス状の照明ユニット３から構成され、天井２４側から床面３１に向かって配置され（天井２４側から壁面２５の上下方向略中間位置までのところに配置され）、パネル装置１の下方の床面３１にはベッド２７が載置され、パネル装置１の左方には、衣料等の種々の物品を収納可能な収納棚３０が天井２４側から床面３１にかけて立設されている。
【００１４】
照明ユニット３には、中央位置に後述する光源である蛍光灯を備える照明部３ａ、左方側に配電部１２、右方側に医療ガス部１６が備えられ、照明部３ａの前面に前面板８、配電部１２の前面に前面板８’、医療ガス部１６の前面に取手１８ａが設けられた移動扉１８が設けられている。この移動扉１８は照明部３ａ側に移動可能になっており、医療ガス部１６の前面を開放可能になっている。
【００１５】
化粧パネル２から照明ユニット３の内部にかけては、天井２４側から複数本（本実施例では３本）の電気線２０および複数本（本実施例では３本）のガス管２１が壁面２５に沿うように配設されている。この電気線２０の２本が照明ユニット３の照明部３ａ内に配線され、電気線２０の１本が配電部１２内に配線され、３本のガス管２１が医療ガス部１６内に配管されている。
【００１６】
照明ユニット３の照明部３ａに配線された２本の電気線２０は後述する２つの照明具に接続され、配電部１２内に配線された１本の電気線２０は、配電部１２下面に設けられた電気コンセント１５に接続されており、外部の機器類である照明装置２８や呼出装置２９が電気コード２２を介して電気コンセント１５に接続されて電力供給されている。医療ガス部１６内に配管された３本のガス管２１は後述する各ガスの取出口にそれぞれ接続されている。以下、本実施例の説明において、パネル装置１の正面側を前方をとし、パネル装置１の背面側を後方とし、照明ユニット３の配電部１２側を左方とし、照明ユニット３の医療ガス部１６側を右方として説明する。
【００１７】
次に、照明ユニット３および化粧パネル２について具体的に説明すると、図２に示されるように、照明部３ａの前方には前述の前面板８、後方には背面板７、上部に上下に貫通する通孔９ａおよび通孔９ｂが形成された上面板９、下方には下面板１０が設けられ、内部に空間が形成され、この空間は仕切板１４により上下に区画され、仕切板１４の後端に上下に貫通する通孔１４ａが形成されている。そして、照明部３ａに隣接する医療ガス部１６との空間を区画する仕切板１３’が設けられている。
【００１８】
上面板９の一部には前面板８の上端との間に開口が形成され、この開口を透明アクリル板製の透過板６で閉蓋させ、透過板６の右側端に下方に向けて形成された取付片６ａをボルト２３で仕切板１３’に固定させている。なお、特に図示しないが、透過板６の左側端にも同様の取付片が形成されており、照明部３ａに隣接する配電部１２とを区画する後述の仕切板１３（図３）にボルトで固定されている。
【００１９】
同様にして、下面板１０の一部には前面板８の下端との間に開口が形成され、この開口を透過板６’で閉蓋させ、透過板６’の右側端に形成された取付片６ａ’をボルト２３で仕切板１３’に固定させている。なお、特に図示しないが、透過板６’の左側端にも同様の取付片が形成されており、照明部３ａに隣接する配電部１２とを区画する後述の仕切板１３（図３）にボルトで固定されている。
【００２０】
そして、背面板７の後面を壁面２５に沿って当接させ、壁面２５の上下２箇所にボルト２３を用いて固定させることにより、照明ユニット３が取り付けられている。透過板６の後端に接する上面板９の上端位置には、化粧パネル２が立設され照明ユニット３に支持されることで、化粧パネル２と照明ユニット３が一体で設けられ、パネル装置１を構成している。このように、照明ユニット３を壁面２５に設けるだけで、化粧パネル２を特別な支持具を用いることなく、容易に壁面２５側に支持させることができるが、化粧パネル２が大きい場合など必要に応じて壁面２５と化粧パネル２との間に掛止め具を用いる。
【００２１】
なお、仕切板１４の上端面には、左右方向に向けて設けられた光源である蛍光灯４ａを備えた照明具４が取り付けられ、透過板６を介して上方に向けて蛍光灯４ａの光を照射可能になっており、同様にして仕切板１４の下端面には、光源である蛍光灯５ａを備えた照明具５が取り付けられ、透過板６’を介して蛍光灯５ａの光を下方に向け照射可能になっている。
【００２２】
このように、照明ユニット３自身の存在により暗くなりがちな下方側を照明具５によって明るくすることが可能となる。なお、透過板６によって蛍光灯４ａが外部から保護され、透過板６’によって蛍光灯５ａが保護されている。
【００２３】
そして、パネル装置１が壁面２５に取り付けられると、壁面２５と化粧パネル２の間に前後に所定間隔で離間された空間部１ａが形成される。この空間部１ａには天井２４側（図１参照）から下方に向けて、電気線２０およびガス管２１が配設されており、電気線２０の一部は通孔９ａを介して照明具４に接続され、電気線２０の一部は通孔９ｂを介して照明具５に接続され、電力の供給が行われている。
【００２４】
次いで、化粧パネル２の前面側の表面に塗装された化粧材２ａについて説明すると、この化粧材２ａは塗料の中には二酸化チタン（ＴｉＯ２）の粉末が含有されている。この二酸化チタンが含有された塗料が化粧パネル２の表面に塗装されると、光触媒層が形成される。
【００２５】
この光触媒層に蛍光灯４ａの光を照射させると、二酸化チタン（ＴｉＯ２）と、室内の空気中の水分（Ｈ２Ｏ）と、光（紫外線）による光触媒反応を生じさせることができ、酸化・還元作用により人体にも無害な二酸化炭素と水に分解させ、副次的にＯＨラジカルやスーパーオキサイドアニオン（Ｏ２−）を生成させる。これらが化粧パネル２の表面や、その近傍の有機物や雑菌・汚臭を分解し、殺菌・防汚・消臭・抗菌・防カビ等の様々な清浄作用を生じさせ、室内を清潔に保つことができる。
【００２６】
さらに、光触媒反応によって、従来により室内の建築で使用される建材や塗装剤から揮発するＶＯＣ（揮発性有機化合物）や、合板の糊の防腐剤として使われるホルムアルデヒド、塗料や接着剤から出るトルエンなどの有機化合物、防炎加工剤や防虫剤等の人体に有害な物質の分解も行われ、シックハウス症候群対策にも有効であり、室内環境が良好な状態に保たれる。
【００２７】
以上の説明から、化粧パネル２を室内の必要な場所に適宜選択して設置することができ、照明ユニット３の光源である蛍光灯４ａで化粧パネル２を集中的に照らすことで、化粧パネル２の表面に施された化粧材２ａにおける殺菌・消臭・抗菌等の効果を生じさせる光触媒反応を効率よく発揮させることができるので、常に化粧パネル２の表面および近傍の空気層を清潔に保つことができる。
【００２８】
さらに、化粧パネル２と室内の壁面２５と間に形成された空間部１ａを利用して、照明ユニット３に接続された電気線２０を簡便に配線させることができ、化粧パネル２によって電気線２０を外部に露出させることなく遮蔽させて、外見からも見栄え良く配線させることができる。
【００２９】
次に、照明ユニット３全体の構造について説明すると、照明ユニット３の筐体は図３に示されるように、背面板７と、側面板１１，１１’と、前面板８，８’と、移動扉１８と、下面板１０と、透過板６’と、前述した上面板９（図２参照）と、前述した透過板６（図２参照）と、から構成され、この筐体内を仕切板１３と仕切板１３’で左右所定間隔に仕切ることで、左方より配電部１２、照明部３ａ、医療ガス部１６の３つに区画されている。
【００３０】
壁面２５の左右４箇所に背面板７を介してボルト２３を螺合させることで、照明ユニット３が壁面２５に強固に取り付けられており、前述した化粧パネル（図２参照）を壁面２５に沿わせて、しっかりと支持させることが可能となっている。そして、またパネル装置１の設置位置を替えるときは、化粧パネル２と照明ユニット３が一体的に設けられているので、ボルト２３を緩め、壁面２５との結合を分離することでパネル装置１を自由に移動させることができる。
【００３１】
照明部３ａに配線された電気線２０の一部は仕切板１３に形成された通孔１３ａを介して電気コンセント１５に接続され、配電部１２の下面板１０に設けられた電気コンセント１５に接続される外部の照明装置２８や呼出装置２９（図１参照）に電気を供給可能になっている。
【００３２】
医療ガス部１６には、取付板１７が移動扉１８の背面から後方に所定間隔離間されて設けられており、この取付板１７に左方より酸素ガス用の医療ガス取出口（以下、取出口１６ａ）、笑気ガス用の医療ガス取出口（以下、取出口１６ｂ）、吸引ガス用の医療ガス取出口（以下、取出口１６ｃ）、後述の吸引器２６を係止させる係止板１６ｄが設けられている。これら取出口１６ａ，１６ｂ，１６ｃには、天井２４側（図１参照）から配管された３本のガス管２１がそれぞれ接続されている。
【００３３】
なお、各取出口１６ａ，１６ｂ，１６ｃから医療ガスを利用する際には、矢印に示されるように移動扉１８の取手１８ａを利用して前方手前に引き出すと、図４に示されるように、医療ガス部１６内の上部に設けられた摺動レール１９も引き出され、この状態で移動扉１８を摺動レール１９に沿って左方に摺動させることで、容易に医療ガス部１６の前面を開放させることができる。このように、移動扉１８を左右方向に摺動させることで、照明部３ａに設けられた照明具４，５の蛍光灯４ａ，５ａの上下方向への照射を遮ることのない構成になっている。
【００３４】
例えば、吸引器２６を利用する際には、吸引器２６を係止板１６ｄの係止突起に係止させたのち、チューブ２６ａの先端を取出口１６ｃに挿し込み、吸引器２６のガス出力圧を調整させるだけで利用可能となる。各取出口１６ａ，１６ｂ，１６ｃの下方近傍には、それぞれ蓋材１６ｅがチェーンで吊持されており、図５に示されるように取出口１６ａ，１６ｂが使用されない場合には、開閉バルブ（図示せず）及び蓋材１６ｅを取り付けることで、確実に取出口を閉蓋させることができ、より安全性が高められている。
【００３５】
このように、病室等の医療現場で用いられる医療ガスの取出口１６ａ，１６ｂ，１６ｃを照明ユニット３に隣接させて設けるだけで、医療ガスの取出口１６ａ，１６ｂ，１６ｃに接続されたガス管２１を化粧パネル２の後方に形成された空間部１ａ（図２参照）に簡便に配設させることができ、化粧パネル２によってガス管２１を外部に露出させることなく遮蔽させ、外見からも見栄え良く配管させることができる。
【００３６】
以上、本発明の実施例を図面により説明してきたが、具体的な構成はこれら実施例に限られるものではなく、本発明の要旨を逸脱しない範囲における変更や追加があっても本発明に含まれ、例えば上記実施例の化粧材２ａには二酸化チタンを含む構成で、この二酸化チタンと、蛍光灯４ａや日中の太陽光や天井に設けられる照明等の光源と、空気中の水分とで、効果的に光触媒反応を生じさせているが、本発明はこれに限定されるものではなく、二酸化チタンに変わる光触媒として、酸化鉄、酸化タングステン、酸化ニッケル等を用いても良く、これらを単独又は、複数併用しても良い。さらに、白金、ロジウム、銅等の金属を添加してもよい。
【００３７】
また、上記実施例では、塗料に二酸化チタンの粉末を混合させて化粧材２ａとして、化粧パネル２の表面に塗装させているが、これらの光触媒を粉末状、コロイド状、液状、板状等の形状にして、化粧パネル２や壁面の表面に用いて、光触媒反応を生じさせることも可能であることは言うまでもない。
【００３８】
また上記実施例では、照明ユニット３と化粧パネル２を一体的に組み付けたものであるが、必ずしも一体的に構成する必要はなく、別構成であっても良い。そして照明ユニット３を３つに区画して配電部１２、照明部３ａ、医療ガス部１６としているが、ユニット化せず独立に構成させても良く、また配電部１２と医療ガス部１６を設けず、照明ユニット３が照明部３ａだけで構成されるものであっても良い。
【００３９】
また上記実施例では、パネル装置１が天井２４側から壁面２５の上下方向略中間位置まで配置された例で示しているが、中間位置にとどまらす床面側にもっと近接しても構わない。更に上記実施例では、ガス管２１を配管させることで、各種医療ガスを利用可能になっているが、水道管等を適用させた構成にしても良い。
【図面の簡単な説明】
【００４０】
【図１】本発明の実施例における光触媒表面を有するパネル装置の全体像を示す斜視図である。
【図２】図１のＡ−Ａ線を示す化粧パネルおよび照明ユニット中央部の側断面図である。
【図３】図１のＢ−Ｂ線を示す照明ユニット全体の平面断面図である。
【図４】照明ユニットに設けられた医療ガス部を示す斜視図である。
【図５】医療ガス部の使用例を示す正面図である。
【符号の説明】
【００４１】
１                パネル装置
１ａ              空間部
２                化粧パネル
２ａ              化粧材
３                照明ユニット
３ａ              照明部
４                照明具
４ａ              蛍光灯（光源）
５                照明具
５ａ              蛍光灯（光源）
６、６’          透過板（アクリル板やガラス板）
７                背面板
８、８’          前面板
９                上面板
１０              下面板
１１、１１’      側面板
１２              配電部
１３、１３’      仕切板
１４              仕切板
１５              電気コンセント
１６              医療ガス部
１６ａ            酸素ガス用の医療ガス取出口
１６ｂ            笑気ガス用の医療ガス取出口
１６ｃ            吸引ガス用の医療ガス取出口
１６ｄ            係止板
１６ｅ            蓋材
１７              取付板
１８              移動扉
２０              電気線
２１              ガス管
２４              天井
２５              壁面
２８              照明装置（外部の機器）
２９              呼出装置（外部の機器）
【図１】
2006158501.tif 000003
【図２】
2006158501.tif 000004
【図３】
2006158501.tif 000005
【図４】
2006158501.tif 000006
【図５】
2006158501.tif 000007